(57)【要約】【課題】評判情報から対象事物に関する知見を得ることを可能とした技術を提供する。【解決手段】評判情報処理装置において、対象事物の性質を表す属性表現とその属性表現に対する評価表現の組からなる評判情報と、その評判情報がどの程度適切かを表す評判情報スコアを取得する手段と、第１階層において同じまたは類似した評価表現を持つ評判情報が同じカテゴリに属するように評判情報を複数のカテゴリに分類し、第２階層において同じまたは類似した属性表現を持つ評判情報が同じカテゴリに属するように第１階層で分類されたカテゴリごとの評判情報を複数のカテゴリに分類する手段と、各階層におけるカテゴリを、評判情報スコアをもとに算出されたカテゴリスコアの大きい順に並び替える手段と、第１階層のカテゴリ名のうちの１つが入力された場合に、そのカテゴリ名を持つカテゴリの属する第２階層のカテゴリ名を出力する手段とを備える。【選択図】図１
2007172051.tif 000002
【特許請求の範囲】
【請求項１】
文書集合に含まれる対象事物についての評判情報を処理する評判情報処理装置であって、
対象事物について、対象事物の性質を表す属性表現とその属性表現に対する評価を表す評価表現の組からなる評判情報と、その評判情報が評判としてどの程度適切かを表す評判情報スコアを文書集合から取得する評判情報取得手段と、
第１階層において同じまたは類似した評価表現を持つ評判情報が同じカテゴリに属するように評判情報を複数のカテゴリに分類し、第２階層において同じまたは類似した属性表現を持つ評判情報が同じカテゴリに属するように第１階層で分類されたカテゴリごとの評判情報を複数のカテゴリに分類することにより、評判情報を２つの階層からなるカテゴリに分類し、各カテゴリにカテゴリ名を付与する評判情報分類手段と、
評判情報スコアをもとに、各階層におけるカテゴリに対してカテゴリスコアを算出するカテゴリスコア算出手段と、
各階層におけるカテゴリをカテゴリスコアの大きい順に並び替えるカテゴリソート手段と、
第１階層のカテゴリ名のうちの１つが入力装置により入力された場合に、そのカテゴリ名を持つカテゴリの属する第２階層のカテゴリ名が出力されていなければ出力し、出力されていれば出力しないようにして、階層的にカテゴリ名を出力装置に出力する評判情報出力手段と、
を有する評判情報処理装置。
【請求項２】
前記評判情報取得手段において、あらかじめ文書集合から取得された評判情報と評判情報スコアを対象事物とともに格納した評判情報データベースを検索して、入力された対象事物に関する評判情報と評判情報スコアを取得する請求項１に記載の評判情報処理装置。
【請求項３】
前記評判情報取得手段において、単一または複数のキーワードを用いて文書を検索し、検索結果の上位Ｎ件の文書から対象事物に関する評判情報と評判情報スコアを取得する請求項１または２に記載の評判情報処理装置。
【請求項４】
文書集合に含まれる対象事物についての評判情報を処理する評判情報処理方法であって、
対象事物について、対象事物の性質を表す属性表現とその属性表現に対する評価を表す評価表現の組からなる評判情報と、その評判情報が評判としてどの程度適切かを表す評判情報スコアを文書集合から取得する評判情報取得ステップと、
第１階層において同じまたは類似した評価表現を持つ評判情報が同じカテゴリに属するように評判情報を複数のカテゴリに分類し、第２階層において同じまたは類似した属性表現を持つ評判情報が同じカテゴリに属するように第１階層で分類されたカテゴリごとの評判情報を複数のカテゴリに分類することにより、評判情報を２つの階層からなるカテゴリに分類し、各カテゴリにカテゴリ名を付与する評判情報分類ステップと、
評判情報スコアをもとに、各階層におけるカテゴリに対してカテゴリスコアを算出するカテゴリスコア算出ステップと、
各階層におけるカテゴリをカテゴリスコアの大きい順に並び替えるカテゴリソートステップと、
第１階層のカテゴリ名のうちの１つが入力装置により入力された場合に、そのカテゴリ名を持つカテゴリの属する第２階層のカテゴリ名が出力されていなければ出力し、出力されていれば出力しないようにして、階層的にカテゴリ名を出力装置に出力する評判情報出力ステップと、
を有する評判情報処理方法。
【請求項５】
前記評判情報取得ステップにおいて、あらかじめ文書集合から取得された評判情報と評判情報スコアを対象事物とともに格納した評判情報データベースを検索して、入力された対象事物に関する評判情報と評判情報スコアを取得する請求項４に記載の評判情報処理方法。
【請求項６】
前記評判情報取得ステップにおいて、単一または複数のキーワードを用いて文書を検索し、検索結果の上位Ｎ件の文書から対象事物に関する評判情報と評判情報スコアを取得する請求項４または５に記載の評判情報処理方法。
【請求項７】
請求項４ないし６のうちいずれか１項に記載の評判情報処理方法における各ステップをコンピュータに実行させる評判情報処理プログラム。
【請求項８】
請求項７に記載の評判情報処理プログラムを記録したコンピュータ読み取り可能な記録媒体。
【発明の詳細な説明】
【技術分野】
【０００１】
本発明は、文書集合に含まれる対象事物についての評判情報を処理する技術に関するものである。
【背景技術】
【０００２】
Ｗｅｂページには、製品や人物など（以下では対象事物と呼ぶ）についての評判が書かれた文を含むページが数多く存在する。例えば携帯電話については、「電池の持ちがよい」や「デザインがかわいい」といった評判を含む文が書かれている。このような評判を含む文から「電池の持ち」のような対象事物の性質を表す属性表現と「よい」のような評価表現の組を評判情報として抽出し、その結果をわかりやすい形で提示することができれば、製品を購入する際の参考情報などとして役立つ。そのため、文から対象事物に関する評判情報を抽出、提示する研究が行われている。
【０００３】
評判情報を提示する方法として、非特許文献１では、属性表現を「安全性」や「コスト」というような着眼点に基づいて集計し、集計結果からレーダーチャートを作成して提示している。この方法では、例えばレーダーチャートの「安全性」の項目の値が高いかどうかに注目することで、「安全性」を特に重視して製品などを選ぶことができる。
【非特許文献１】立石健二他，Ｗｅｂ文書集合からの意見情報抽出と着眼点に基づく要約生成，言語処理学会第10回年次大会,pp.644-647,2004.
【発明の開示】
【発明が解決しようとする課題】
【０００４】
しかしながら、従来の方法は対象事物の評判を総合的に知るための方法であり、個々の対象事物に関する評判情報の一覧を見ながら必要に応じて特定の評判情報に関する詳細を知ることができないため、評判情報から対象事物に関する知見を得ることが難しい。非特許文献１では、レーダーチャートの各項目により評判情報の一覧を見ることができるが、レーダーチャートの「使い勝手」の項目の中で「ボタンが押しにくい」という評判情報が大多数を占めることには気づくことができない。
【０００５】
本発明は上記の問題点に鑑みてなされたものであって、対象事物に対しまず評判情報をバリエーションの少ない評価表現で分類し、評価表現ごとの評判情報を属性表現で分類して提示することにより、個々の対象事物に関する評判情報の一覧を見ながら必要に応じて特定の評判情報に関する詳細を知ることができ、評判情報から対象事物に関する知見を得ることを可能とした技術を提供することを目的とする。
【課題を解決するための手段】
【０００６】
上記の課題は、文書集合に含まれる対象事物についての評判情報を処理する評判情報処理装置において、対象事物について、対象事物の性質を表す属性表現とその属性表現に対する評価を表す評価表現の組からなる評判情報と、その評判情報が評判としてどの程度適切かを表す評判情報スコアを文書集合から取得する評判情報取得手段と、第１階層において同じまたは類似した評価表現を持つ評判情報が同じカテゴリに属するように評判情報を複数のカテゴリに分類し、第２階層において同じまたは類似した属性表現を持つ評判情報が同じカテゴリに属するように第１階層で分類されたカテゴリごとの評判情報を複数のカテゴリに分類することにより、評判情報を２つの階層からなるカテゴリに分類し、各カテゴリにカテゴリ名を付与する評判情報分類手段と、評判情報スコアをもとに、各階層におけるカテゴリに対してカテゴリスコアを算出するカテゴリスコア算出手段と、各階層におけるカテゴリをカテゴリスコアの大きい順に並び替えるカテゴリソート手段と、第１階層のカテゴリ名のうちの１つが入力装置により入力された場合に、そのカテゴリ名を持つカテゴリの属する第２階層のカテゴリ名が出力されていなければ出力し、出力されていれば出力しないようにして、階層的にカテゴリ名を出力装置に出力する評判情報出力手段と、を備えることにより解決できる。
【発明の効果】
【０００７】
本発明によれば、対象事物に対しまず評判情報をバリエーションの少ない評価表現で分類し、評価表現ごとの評判情報を属性表現で分類して提示するため、個々の対象事物に関する評判情報の一覧を見ながら必要に応じて特定の評判情報に関する詳細を知ることができ、評判情報から対象事物に関する知見を得ることができる。
【発明を実施するための最良の形態】
【０００８】
以下、図面を参照して本発明の実施例について説明する。なお、本明細書における対象事物とは、例えば、商品名、企業名、人名などの評判の対象となる事物である。属性表現とは、対象事物の特徴や性質を表す表現であり、例えば、コンピュータの分野を例にとれば、デザイン、性能、価格、サポートなどが該当する。評価表現とは、肯定または否定の評価を示す表現であり、たとえば、良い、悪い、使い易いなどが該当する。
【０００９】
（評判情報処理装置１００の構成）
図１は、本発明の実施例である評判情報処理装置１００の構成を示す図である。図１に示す評判情報処理装置１００は、評判情報取得部１と、評判情報分類部２と、カテゴリスコア算出部３と、カテゴリソート部４と、評判情報出力部５と、入力装置６と、出力装置７とを有する。
【００１０】
評判情報取得部１は、対象事物について、対象事物の性質を表す属性表現とその属性表現に対する評価を表す評価表現の組からなる評判情報と、その評判情報が評判としてどの程度適切かを表す評判情報スコアを文書集合から取得する。
【００１１】
評判情報分類部２は、属性表現と評価表現をもとに、第１階層において評判情報を複数のカテゴリに分類し、第２階層において第１階層で分類されたカテゴリごとに評判情報を複数のカテゴリに分類し、各カテゴリにカテゴリ名を付与する。なお、更にカテゴリの階層化を進めてもよい。
【００１２】
カテゴリスコア算出部３は、評判情報スコアをもとに、各階層におけるカテゴリに対してカテゴリスコアを算出する。また、カテゴリソート部４は、各階層におけるカテゴリをカテゴリスコアの大きい順に並び替える。
【００１３】
評判情報出力部５は、第１階層のカテゴリ名のうちの１つが入力装置６により入力された場合に、そのカテゴリ名を持つカテゴリの属する第２階層のカテゴリ名が出力されていなければ出力し、出力されていれば出力しないようにして、階層的にカテゴリ名を出力装置７に出力する。
【００１４】
（評判情報処理装置１００の動作概要）
次に、評判情報処理装置１００の動作について説明する。
【００１５】
図２は、評判情報処理装置１００の全体の動作を示すフローチャートである。図２を用いて動作の概要を説明する。まず、評判情報取得部１が、ある対象事物について、対象事物の性質を表す属性表現とその属性表現に対する評価を表す評価表現の組からなる評判情報と、その評判情報が評判としてどの程度適切かを表す評判情報スコアを文書集合から取得する（Ｓ１０）。
【００１６】
評判情報分類部２が、属性表現と評価表現をもとに、第１階層において評判情報を複数のカテゴリに分類し、第２階層において第１階層で分類されたカテゴリごとに評判情報を複数のカテゴリに分類し、各カテゴリにカテゴリ名を付与する（Ｓ２０）。なお、更にカテゴリの階層化を進めてもよい。
【００１７】
カテゴリスコア算出部３が、評判情報スコアをもとに、各階層におけるカテゴリに対してカテゴリスコアを算出する（Ｓ３０）。そして、カテゴリソート部４が、各階層におけるカテゴリをカテゴリスコアの大きい順に並び替える（Ｓ４０）。
【００１８】
評判情報出力部５が、第１階層のカテゴリ名のうちの１つが入力装置６により入力された場合に、そのカテゴリ名を持つカテゴリの属する第２階層のカテゴリ名が出力されていなければ出力し、出力されていれば出力しないようにして、階層的にカテゴリ名を出力装置７に出力する（Ｓ５０）。
【００１９】
（評判情報処理装置１００の動作詳細）
次に、評判情報処理装置１００の動作をより具体的に説明する。
【００２０】
図３は、実施例における文書集合の中の一文書の例を示す図である。以下の説明では、入力装置６から「ＸＹＺ」という対象事物名が入力され、「ＸＹＺ」についての評判情報を処理することとする。
【００２１】
ステップＳ１０では、評判情報取得部１により、対象事物「ＸＹＺ」の性質を表す属性表現とその属性表現に対する評価を表す評価表現の組からなる評判情報と、その評判情報が評判としてどの程度適切かを表す評判情報スコアを文書集合から取得する。
【００２２】
本実施例では、あらかじめ文書集合から取得された評判情報と評判情報スコアを対象事物とともに格納した評判情報データベースを作成しておき、評判情報取得部１ではその評判情報データベースを検索して、入力された対象事物に関する評判情報と評判情報スコアを取得することとする。評判情報と評判情報スコアの取得方法はこれに限るものではなく、文書集合を解析して評判情報と評判情報スコアを直接取得しても構わない。また、取得する評判情報と評判情報スコアは入力された対象事物と完全に一致するものでなくてもよく、入力された対象事物に関連する複数の対象事物に関して評判情報と評判情報スコアを取得したりしてもよい。なお、評判情報データベースは評判情報処理装置１００の格納装置に蓄積してもよいし、ネットワーク上のサーバに蓄積し、そこから評判情報と評判情報スコアを取得することとしてもよい。
【００２３】
評判情報データベースの作成は例えば以下のような処理方法で行うことができる。
【００２４】
評判情報処理装置１００は、図４に示す属性表現リスト、図５に示す評価表現リストを予め保持しておく。そして、評判情報処理装置１００は、ある文の中で、図４に示す属性表現リスト中に含まれる属性表現と、図５に示す評価表現リスト中に含まれる評価表現との間に、「は」「が」「も」のいずれかの助詞が含まれていた場合に、その属性表現と評価表現を評判情報として取得する。ただし、評判情報の取得方法はこれに限るものではない。
【００２５】
図３の文書の２番目の文は、図４の属性表現リスト中の属性表現「デザイン」と、図５の評価表現リスト中の評価表現「かっこいい」の間に、助詞「が」が含まれているため、属性表現「デザイン」と評価表現「かっこいい」を評判情報として取得する。
【００２６】
また、図６に示す対象事物リストを予め保持しておき、ここから上記評判情報に対応する対象事物を取得する。本実施例では、評判情報処理装置１００は、評判情報が記載されている文と同じ文の中に、図６に示す対象事物リスト中に含まれる対象事物が存在する場合はそれを対象事物として取得し、存在しない場合は対象事物リスト中の対象事物のうち文書中で最初に出現するものを対象事物として取得することとしているが対象事物の取得方法はこれに限るものではない。図３の文書の２番目の文は、図６の対象事物リスト中の対象事物を含まないため、文書中で最初に出現する対象事物リスト中の対象事物である「ＸＹＺ」を対象事物として取得する。
【００２７】
そして、評判情報処理装置１００は、属性表現と対象事物との関連度を算出して評判情報スコアとして取得する。関連度ｒは、文書集合の中で属性表現と対象事物がともに出現する文書の数をａ、属性表現のみが出現する文書の数をｂ、対象事物のみが出現する文書の数をｃとしたときに、ｒ＝２ａ／（２ａ＋ｂ＋ｃ）として算出する。
【００２８】
例えば、属性表現「デザイン」と対象事物「ＸＹＺ」において、ａ＝５０、ｂ＝３００、ｃ＝１００であったとすると、ｒ＝２×５０／（２×５０＋３００＋１００）＝０．２であるため、この値を属性表現「デザイン」と対象事物「ＸＹＺ」の組に対応する評判情報スコアとする。関連度の算出方法はこれに限るものではない。また、評判情報スコアの取得方法はこれに限るものではなく、図５の評価表現リスト中の各評価表現に固有の値を評判情報スコアとしてもよいし、すべての評判情報について１という値を評判情報スコアとしてもよい。
【００２９】
以上の方法により、文書集合から取得された評判情報と評判情報スコアを対象事物とともに格納した評判情報データベースを作成することができる。評判情報データベースの例を図７に示す。
【００３０】
また、ここでは、対象事物である「ＸＹＺ」をキーワードとして含む文書を文書集合から検索し、検索結果の上位N件の文書から対象事物に関する評判情報と評判情報スコアを取得するものとする。Nは１以上の整数であるが、本実施例ではN=１００とする。キーワードは１つでなく複数であってもよいし、複数の場合は「いずれかのキーワードを含む」「すべてのキーワードを含む」など、条件はどのようにしてもよい。また、キーワードに対象事物を含まなくてもよい。また、上位１００件でなくてもよく、１０件としたり、検索条件に合致する文書の数によって件数を動的に変更したりしてもよい。また、文書集合中の全てまたは一部の文書が対象事物「ＸＹＺ」に関して書かれていることがあらかじめわかっている場合には、検索を行わず、その全てまたは一部の文書から対象事物に関する評判情報と評判情報スコアを取得してもよい。
【００３１】
検索を行った結果、検索結果がＸ位の文書が文書番号Ｘの文書であったとしたとき、図７の評判情報データベースを検索して、検索結果の上位１００件の文書に含まれ、かつ対象事物が「ＸＹＺ」に一致する評判情報と評判情報スコアを取得した結果を図８に示す。ここで、図７の３番目の評判情報は対象事物「ＸＹＺ」に関するものではないため、図８には含まれていない。また、図７の８番目以降の評判情報は検索結果の上位１００件に該当しないため、図８には含まれていない。
【００３２】
ステップＳ２０では、評判情報分類部２により、第１階層において同じまたは類似した評価表現を持つ評判情報が同じカテゴリに属するように評判情報を複数のカテゴリに分類して評価表現をカテゴリ名とし、第２階層において同じまたは類似した属性表現を持つ評判情報が同じカテゴリに属するように第１階層で分類されたカテゴリごとの評判情報を複数のカテゴリに分類して属性表現をカテゴリ名とすることにより、評判情報を２つの階層からなるカテゴリに分類するものとする。同じカテゴリに分類する評判情報は単に同じ属性表現または評価表現を持つ場合に限るものではなく、類似する属性表現または評価表現を持つ評判情報を同じカテゴリに分類してもかまわない。「素晴らしい」と「すばらしい」のように、標記は異なるが読みが同じ表現を持つ評判情報を同じカテゴリに分類してもよい。また、属性表現または評価表現に関する頻度などの統計情報を用いてクラスタリングを行った結果の各クラスタをカテゴリとし、クラスタの重心に最も近い表現をカテゴリ名としてもよい。また、シソーラスを用いて単語の類似性を判定し、類似する表現を持つ評判情報を同じカテゴリに分類して、そのカテゴリに属する表現の中から代表として選択した表現をカテゴリ名としてもよい。類似する表現を持つ評判情報を同じカテゴリに分類する方法およびカテゴリ名を付与する方法はこれに限るものではない。
【００３３】
図８の評判情報に対し、第１階層において同じ評価表現を持つ評判情報が同じカテゴリに属するように評判情報を複数のカテゴリに分類した結果を図９に示し、各カテゴリに対し評価表現をカテゴリ名として付与した結果を図１０に示す。さらに、図９で示した第１階層で分類されたカテゴリごとの評判情報に対し、第２階層において同じ属性表現を持つ評判情報が同じカテゴリに属するように複数のカテゴリに分類した結果を図１１に示し、各カテゴリに対し属性表現をカテゴリ名として付与した結果を図１２に示す。
【００３４】
ステップＳ３０では、カテゴリスコア算出部３により、評判情報スコアをもとに、各階層におけるカテゴリに対してカテゴリスコアを算出する。ここでは、第２階層におけるカテゴリのカテゴリスコアを、そのカテゴリに属する評判情報の評判情報スコアの合計により算出し、第１階層におけるカテゴリのカテゴリスコアを、そのカテゴリに属する第２階層のカテゴリのカテゴリスコアの合計により算出するものとする。カテゴリスコアの算出方法はこれに限るものではなく、カテゴリに属する評判情報の評判情報スコアのうち最大の値をカテゴリスコアとしてもよい。
【００３５】
ここで、ステップＳ１０においてすべての評判情報の評判情報スコアを一律に１とした場合には、カテゴリスコアはそのカテゴリが属する評判情報の件数に等しくなる。
【００３６】
また、図１１に示す例では、第１階層カテゴリ番号が１で第２階層カテゴリ番号が１であるカテゴリに対して、第２階層のカテゴリのカテゴリスコアを算出すると、０．２０＋０．２０＋０．２０＋０．２０＋０．２０＝１．００となる。本実施例の場合、同一の属性表現を持つ評判情報は同一の評判情報スコアとなるため、第２階層のカテゴリスコアはそのカテゴリに属する評判情報の評判情報スコアと評判情報の件数との積により算出することができる。第２階層におけるカテゴリのカテゴリスコアを算出した結果を図１３に示す。次に、図１３において、第１階層カテゴリ番号が１であるカテゴリに対して、第１階層のカテゴリのカテゴリスコアを算出すると、１．００＋０．２５＋０．３０＝１．５５となる。第１階層におけるカテゴリのカテゴリスコアを算出した結果を図１４に示す。
【００３７】
ステップＳ４０では、カテゴリソート部４により、各階層におけるカテゴリをカテゴリスコアの大きい順に並び替える。第１階層においてカテゴリの並び替えを行った結果を図１５に示す。また、第２階層においてカテゴリの並び替えを行った結果を図１６に示す。
ステップＳ５０では、評判情報出力部５により、第１階層のカテゴリ名のうちの１つが入力装置６により入力された場合に、そのカテゴリ名を持つカテゴリの属する第２階層のカテゴリ名が出力されていなければ出力し、出力されていれば出力しないようにして、階層的にカテゴリ名を出力装置７に出力する。
【００３８】
ここでは、初期状態として、第１階層のカテゴリ名のみを出力するものとする。初期状態はこれに限るものではなく、全階層におけるカテゴリ名を出力したりしてもよい。図１５および図１６の並び替え結果を用いて、第１階層のカテゴリ名のみを出力した結果を図１７に示す。ここでは、カテゴリスコアの高いカテゴリ名ほど上側に来るように出力している。カテゴリ名の出力方法はこれに限るものではなく、カテゴリスコアの高いカテゴリ名ほど左側に来るように出力するようにしたりしてもよい。また、ここでは、第１階層のカテゴリ名の右側にカテゴリスコアの値を出力している。出力する値や値を出力する位置はこれに限るものではなく、カテゴリの属する評判情報の件数を出力してもよいし、カテゴリ名の左側に出力してもよいし、値を何も出力しなくてもよい。また、ここでは、出力装置７としてディスプレイを想定しているが、プリンタに出力したりしても構わない。
【００３９】
ここで、図１７の出力結果を閲覧した利用者が、「かっこいい」というカテゴリ名を持つカテゴリについて詳細を知りたい場合には、「かっこいい」というカテゴリ名を入力装置６から入力する。ここでは、入力装置６としてマウスを想定しているが、キーボードによりカテゴリ名を入力したりしても構わない。図１７に示す状態で第１階層のカテゴリ名のうちの１つが入力装置６により入力された場合、そのカテゴリ名を持つカテゴリの属する第２階層のカテゴリ名は出力されていないため、第２階層のカテゴリ名を出力する。図１７において「かっこいい」というカテゴリ名が入力されたときの出力結果を図１８に示す。
【００４０】
このように、本実施例で説明した処理により対象事物「ＸＹＺ」に対し階層的に評判情報をカテゴリに分類して提示することで、図１７のように対象事物に関する評判情報の一覧を見ながら、図１８のように必要に応じて「かっこいい」という評価表現を持つ評判情報に関する詳細を知ることができ、その結果「ＸＹＺがかっこいいと述べている人の多くはデザインがかっこいいと述べている」という知見を得ることができる。
【００４１】
図１８において、再び「かっこいい」が入力装置６により入力された場合には、第２階層のカテゴリ名が出力されなくなり、再び図１７が出力される。これにより、再び評判情報の一覧を見ることができる。
【００４２】
なお、本実施例の評判情報処理装置１００は、上述した一連の動作を実行させるプログラムをコンピュータにインストールすることにより実現することが可能である。また、当該プログラムを評判情報処理装置として利用されるコンピュータに接続されるハードディスク装置や、フレキシブルディスク、ＣＤ−ＲＯＭなどの可搬記憶媒体に格納しておき、コンピュータにインストールして実行させることも可能である。また、当該プログラムをネットワーク上のサーバに格納しておき、そこからダウンロードしてインストールする形態をとることも可能である。
【００４３】
上記のように本実施例で説明した評判情報処理装置１００を用いることにより、ある対象事物に対し、まず評価表現を表示し、次に、特定の評価表現を選択することにより、その評価表現に対応する属性表現を表示できる。
【００４４】
一方、従来技術では、これら情報の画面上での表示を、対象事物、属性表現、評価表現との順番をたどって行っていたため、一画面に情報を表示しきれない場合が生じていた。本発明は、評価表現の多様性が対象事物や属性表現の多様性よりも少ないとの経験的事実に基づきなされたものであり、対象事物、属性表現、評価表現の組を対応付けて画面上に表示する際に、一度に表示させる情報量を少なくでき、従来の問題を解決できる。すなわち、一覧性を向上させたインタフェースを提供することができる。
【００４５】
なお、本発明は、上記の実施の形態及び実施例に限定されることなく、特許請求の範囲内において種々変更・応用が可能である。
【産業上の利用可能性】
【００４６】
本発明は、製品に対する顧客満足度の調査などに利用可能である。
【図面の簡単な説明】
【００４７】
【図１】本発明の実施例における評判情報処理装置１００の構成を示す図である。
【図２】評判情報処理装置１００の全体の動作を示すフローチャートである。
【図３】本発明の実施例における入力の文書集合の中の一文書の例を示す図である。
【図４】本発明の実施例における属性表現リストの例を示す図である。
【図５】本発明の実施例における評価表現リストの例を示す図である。
【図６】本発明の実施例における対象事物リストの例を示す図である。
【図７】本発明の実施例における評判情報データベースの一例を示す図である。
【図８】本発明の実施例において、評判情報取得部１により評判情報を取得した結果の例を示す図である。
【図９】本発明の実施例において、評判情報分類部２により第１階層で評判情報をカテゴリに分類した結果の例を示す図である。
【図１０】本発明の実施例において、評判情報分類部２により第１階層のカテゴリにカテゴリ名を付与した結果の例を示す図である。
【図１１】本発明の実施例において、評判情報分類部２により第２階層で評判情報をカテゴリに分類した結果の例を示す図である。
【図１２】本発明の実施例において、評判情報分類部２により第２階層のカテゴリにカテゴリ名を付与した結果の例を示す図である。
【図１３】本発明の実施例において、カテゴリスコア算出部３により第２階層のカテゴリのカテゴリスコアを算出した結果の例を示す図である。
【図１４】本発明の実施例において、カテゴリスコア算出部３により第１階層のカテゴリのカテゴリスコアを算出した結果の例を示す図である。
【図１５】本発明の実施例において、カテゴリソート部４により第１階層のカテゴリの並び替えを行った結果の例を示す図である。
【図１６】本発明の実施例において、カテゴリソート部４により第２階層のカテゴリの並び替えを行った結果の例を示す図である。
【図１７】本発明の実施例において、評判情報出力部５により第１階層のカテゴリ名を出力した結果の例を示す図である。
【図１８】本発明の実施例において、評判情報出力部５により、第１階層のカテゴリ名が入力された場合にそのカテゴリの属する第２階層のカテゴリを出力した結果の例を示す図である。
【符号の説明】
【００４８】
１００  評判情報処理装置
１  評判情報取得部
２  評判情報分類部
３  カテゴリスコア算出部
４  カテゴリソート部
５  評判情報出力部
６  入力装置
７  出力装置
【図１】
2007172051.tif 000003
【図２】
2007172051.tif 000004
【図３】
2007172051.tif 000005
【図４】
2007172051.tif 000006
【図５】
2007172051.tif 000007
【図６】
2007172051.tif 000008
【図７】
2007172051.tif 000009
【図８】
2007172051.tif 000010
【図９】
2007172051.tif 000011
【図１０】
2007172051.tif 000012
【図１１】
2007172051.tif 000013
【図１２】
2007172051.tif 000014
【図１３】
2007172051.tif 000015
【図１４】
2007172051.tif 000016
【図１５】
2007172051.tif 000017
【図１６】
2007172051.tif 000018
【図１７】
2007172051.tif 000019
【図１８】
2007172051.tif 000020